(57)【要約】  【課題】  小型の土木機械（パワーショベル）に適用するに好適な、作業体の取付け器を提供する。  【解決手段】  土木機械の旋回腕２先端に取付ける固定係合あご体１と可動係合あご体１に前記土木機械の作業体５に設けた一対の連結用杆５ａ，５´ａを係合する係合あご１ａ，３ａを設け、前記固定あご体１側に設けた調整ボルト６を操作することにより可動あご３体側に設けた移動子９を進退させて前記係合あご１ａ，３ａ間の距離を調整するようにする。そして、前記調整ボルト６に減速機構７を連けいし、該減速機構の構成材に前記調整ボルト６の操作用の手動操作ハンドル１３と携帯用電動工具の出力軸１４ａを選択的に接続する接続部を設ける。【選択図】    図１
2010090663.tif 000002
【特許請求の範囲】
【請求項１】
土木機械の旋回腕先端に取付ける固定係合あご体と可動係合あご体に前記土木機械の作業体に設けた一対の連結用杆を係合する係合あごを設け、前記固定あご体側に設けた調整ボルトを操作することにより可動あご体側に設けた移動子を進退させて前記係合あご間の距離を調整するようにした土木機械の作業体の取付け器において、前記調整ボルトに減速機構を連けいし、該減速機構の構成材に前記調整ボルトの操作用の手動操作ハンドルと携帯用電動工具の出力軸を選択的に接続する接続部を設けた、土木機械の作業体の取付け器。
【発明の詳細な説明】
【技術分野】
【０００１】
本発明は、土木機械の旋回腕先端に取付ける作業体（アタッチメント）を簡単に取替えるための取付け器に関するものである。
【背景技術】
【０００２】
土木機械の作業体の取付け器として、土木機械の旋回腕先端に取付ける固定係合あご体と可動係合あご体に前記土木機械の作業体に設けた一対の連結用杆を係合する係合あごを設け、前記固定あご体側に設けた調整ボルトを操作することにより可動あご体側に設けた移動子を進退させて前記係合あご間の距離を調整するようにした構造のものが知られているが（例えば、特許文献１）、この公知のものは、調整ボルトをボックススパナで回動させることにより係合あご間の間隔を広狭にしてバケットなどの作業体の取付け（固定）および取外しを行うようにしている。
【０００３】
【特許文献１】特開平７−３３１６９０号公報
【発明の開示】
【発明が解決しようとする課題】
【０００４】
前記従来構造のものは、調整ボルトの操作を手動、いわば腕力を利用して行うため、相応の腕力を要し、婦女が従事する傾向にある土木作業に必ずしも、適するとはいえない。また、このような腕力不足を補うものとしてシリンダ（油圧）を利用して係合あご間の間隔調整をするようにした構造のものも具体例を挙げるまでもなく知られているが、シリンダを利用する場合は、油圧や電気系統の配管、配線作業などの煩雑な作業を必要とし、土木作業中に於いても油漏れなどにより安全性が損われるおそれがあり、構造上必要以上に大型にならざるを得ず、小型の土木機械乃至取付け器に利用するには適切ではない。
【０００５】
また、電気的に調整ボルトの操作を行うことも考えられるが、電気系統の配線を用いたものは風雨の中で行われる土木作業に適さないため実用化は難しい。
【０００６】
本発明は、斯様な実情を踏まえ、土木機械（パワーショベル）に適用するに好適な斬新な構造の取付け器を提供することを目的として創案したものである。
【課題を解決するための手段】
【０００７】
土木機械の旋回腕先端に取付ける固定係合あご体と可動係合あご体に前記土木機械の作業体に設けた一対の連結用杆を係合する係合あごを設け、前記固定あご体側に設けた調整ボルトを操作することにより可動あご体側に設けた移動子を進退させて前記係合あご間の距離を調整するようにした土木機械の作業体の取付け器において、前記調整ボルトに減速機構を連けいし、該減速機構の構成材に前記調整ボルトの操作用の手動操作ハンドルと携帯用電動工具の出力軸を選択的に接続する接続部を設けた、構成としたものである。
【発明の効果】
【０００８】
本発明によれば、手動手段と電動手段を選択的に利用して調整ボルトの操作を行うことができるから、腕力不足の婦女も利用できることは勿論、電動手段は携帯用電動工具の出力軸を利用して減速機構を動作させ調整ボルトの回動を行うものであるから、電気の特別な配線を必要とせず、比較的小型な土木機械に適用するに好適な取付け器を提供でき、実用的である。
【実施例】
【０００９】
図面は本発明に係る土木機械の作業体の取付け器の一実施例を示し、図１は使用状態を示す略示正面図、図２は図１の一部拡大図、図３は減速機構の断面図、図４は減速機構の接続部の正面図である。
【００１０】
図中、１は土木機械の旋回腕２の先端に取付けた固定係合あご体で、該固定係合あご体１に相対するようにして可動係合あご体３を、固定係合あご体１の前記旋回腕２に対する取付け軸４に回動自在に支持させてある（可動係合あご体３は、旋回腕２と無関係に固定係合あご体１に回動自在に枢着して良ければ、固定あご体１と無関係に旋回腕２に回動自在に枢着しても良い）。
【００１１】
固定係合あご体１と可動係合あご体３は、互いに反対方向（外方）を開放した係合あご１ａ，３ａを備え、該係合あご１ａ，３ａに作業体（アタッチメント）５の連結用杆５ａ，５´ａを係合し、調整ボルト６を操作して係合あご１ａ，３ａを互いに離開する方向に移動させてこれを固定、取付けるようにしてある。
【００１２】
調整ボルト６は、基部を前記固定係合あご体１に固装した減速機構７の装置箱７ａに導入してウォームホイール８の軸と成して装置箱７ａに回動自在に支持させ、先端側のねじ部を、可動係合あご体３に設けた移動子９に螺合して両あご体１，３間にわたしたものである。
【００１３】
また、前記減速機構７は前記装置箱７ａ内に収めた前記ウォームホイール８とこれに螺合したウォーム１０とで成り、装置箱７ａに支持させて導出したウォーム１０の軸杆部１０ａの先端に、前記軸杆部１０ａと同軸上にして接続部１２を設け、該接続部１２に手動操作ハンドル１３又は携帯電動工具１４の出力軸１４ａを選択的に接続できるようにしてある。
【００１４】
そして、手動（操作ハンドル１３を用いて）又は電動（工具１４を用いて）によってウォーム１０を回動させると、ウォームホイール８は縦動して倍力となって調整ボルト６を回動させ、移動子９を進退させ、可動係合あご体３が回動して、係合あご１ａ，３ａ間の近接或いは離開動作が行われ、作業体５の着脱操作を行うことができる。
【００１５】
なお、実施例は、ウォームとウォームホイールの組合わせによる減速機構（倍力装置）を用いたが、他のホイール（歯車）同士の組合わせでも不都合はない。
【００１６】
接続部１２は図示の構造に限る必要はなく、要は、手動用ハンドルと携帯用工具の出力軸を接続できる構成であれば良い。
【図面の簡単な説明】
【００１７】
【図１】使用状態を示す略示正面図。
【図２】図１の一部拡大図。
【図３】減速機構の断面図。
【図４】減速機構の接続部の正面図。
【符号の説明】
【００１８】
１      固定係合あご体
１ａ    係合あご
２      旋回腕
３      可動係合あご体
３ａ    係合あご
５      作業体
６      調整ボルト
７      減速機構
９      移動子
１３    手動操作ハンドル
【図１】
2010090663.tif 000003
【図２】
2010090663.tif 000004
【図３】
2010090663.tif 000005
【図４】
2010090663.tif 000006